(57)【特許請求の範囲】
【請求項１】
木製保管庫の木製パネルの内壁の全てに無方向に延伸する薄膜で抗菌剤を混入した高分子フィルムの防湿シートを貼って気密にし、該防湿シートと前記木製パネルの木質本体との間には補強接合フィルム及びアルミ箔を介在させ、保管庫の一部に気密の開閉扉を設けるとともに、該木製パネルの適所には水分を外部に蒸発させて発散する除湿手段を配設し、該除湿手段にはペルチェ効果を利用した電子冷却半導体を用い、該電子冷却半導体の加熱面の放熱ファンを用いて、冷却面からの除湿すべき水滴を外部に蒸発させるとともに、該電子冷却半導体が作動していない場合は外気が庫内に侵入しないように阻止するシャッターを設けたことを特徴とする木製防湿保管庫。
【請求項２】
前記開閉扉の内側には縁に沿って磁石を埋め込んだクッションゴムを配設し、保管庫の側には磁石が吸着する部材を配設したことを特徴とする請求項１に記載の木製防湿保管庫。
【発明の詳細な説明】
【０００１】
【発明の属する技術分野】
本発明は、木製の保管庫に除湿機能を備えた木製防湿保管庫に関する技術分野に属する。
【０００２】
【従来の技術】
日本列島は湿度が高く、例えば、東京における６〜８月の月平均湿度は75％前後であり(理科年表)、これに伴い住居内では更に数％と高く、押入れ、タンス、靴箱等の収納品にカビが発生する原因となっており、カビを発生を防ぐためには、ほぼ50％以下にする必要があり、室内に除湿機を使用したり、押入除湿機を使用していた。
また、衣服や光学機器や骨董絵画等の貴重品は、乾燥剤や除湿手段を配置した防湿保管庫が開発されており、例えば、特開平6-154487号公報に示されるように、収納庫内に熱交換を行う電子冷却半導体を用いた除湿装置が提案されている。
【０００３】
【発明が解決しようとする課題】
しかしながら、従来の特開平6-154487号公報に示されるような収納庫は、押入やクローゼットが対象であって気密性を余り考慮しておらず、特に木製の収納庫は、扉や接合部は勿論のこと、木肌からも湿気が収納庫の室内に侵入し、除湿器を設けても外部からの加湿空気の侵入により大量消費電力を必要とするという問題点があった。
また、前記の除湿手段もドレインホースを必要とし、常に水の処理を考慮しなければならず、家具としてどこにでも設置する為には不都合であるという問題点があった。
なお、通常、防湿機能を有する保管庫は鉄製であって、金枠を製作して同じものを大量に生産するには向いているが、多種少量生産には経済的に不利であるという問題点があり、また、鉄製の保管庫は外観品質が冷たく、高級家具にはふさわしく無いといった問題点があった。
【０００４】
本発明は、上記の問題点に鑑みてなされたもので、その課題は、木製の保管庫であって、消費電力が少なく、どこでも設置可能な除湿機能を有する防湿保管庫を提供することにある。
【０００５】
【課題を解決するための手段】
上記の課題を解決するために、請求項１の発明は、木製保管庫の木製パネルの内壁の全てに無方向に延伸する薄膜で抗菌剤を混入した高分子フィルムの防湿シートを貼って気密にし、該防湿シートと前記木製パネルの木質本体との間には補強接合フィルム及びアルミ箔を介在させ、保管庫の一部に気密の開閉扉を設けるとともに、該木製パネルの適所には水分を外部に蒸発させて発散する除湿手段を配設し、該除湿手段にはペルチェ効果を利用した電子冷却半導体を用い、該電子冷却半導体の加熱面の放熱ファンを用いて、冷却面からの除湿すべき水滴を外部に蒸発させるとともに、該電子冷却半導体が作動していない場合は外気が庫内に侵入しないように阻止するシャッターを設けたことを特徴とする木製防湿保管庫。
上記の課題を解決するために、請求項２の発明は、前記開閉扉の内側には縁に沿って磁石を埋め込んだクッションゴムを配設し、保管庫の側には磁石が吸着する部材を配設したことを特徴とする請求項１に記載の木製防湿保管庫である。
【０００６】
【発明の実施の形態】
本発明者らは、通常の木製保管庫において、接合部をどんなに密接に接合しても、長時間高湿度の雰囲気状態に放置すると木質部の表面から裏面に湿気が貫通して、木製保管庫内の湿度を上昇させてしまうことを見出し、通常の除湿器等を保管庫に設置しても多くの電力を消費してしまうことをも見出した。
このため、保管庫内に除湿器を設置しても、無駄な電力を必要とし不経済となるため、湿気(ガス)が貫通しないフィルムを保管庫の内周面に施せば除湿についても小電力で済むことに想到した。
だだし、木材保管庫の室内を気密加工するために、湿気が貫通しないフィルムは、後述するように、10〜50μ程度の厚さで無方向に延伸する特性のもので、抗菌剤が混入されたものが効果的であることも見出した。
【０００７】
また、除湿手段についても、従来の乾燥剤と乾燥剤を元に戻す加熱装置との組み合わせでは、乾燥剤の性能が経年変化で低下するので時々交換しなければならず、他方、従来の除湿装置や乾燥装置では大型でスペース的にも不利であり電力消費も馬鹿にならなず、更に、水が排出されるため家具としては不向きである。
このため、ペルチェ効果を利用した電子冷却半導体を用い、半導体用の放熱ファンによって水滴を発散放出するのに用いた構造の除湿装置を使用することによって、前述の保管庫の壁構造と相俟って保管庫内に広い保管スペースを確保し、半永久的で消費電力が極めてすくない木製防湿保管庫に想到したものである。
【０００８】
以下、本発明の好適な木製防湿保管庫の１実施例を図面に沿って説明する。
図１は、木製防湿保管庫１の全体を示すもので、巾180cm・高さ100cm・奥行き60cmの大きさで、それぞれの面は木質を主体にした木製パネル11であって、正面は両開きの木製開閉扉12が配置され他は木製パネル11から構成され、側部の側面木製パネル111の底部には除湿器4が設置されている。
除湿器4の湿度の設定は前面パネルの上方に除湿器４の除湿設定や他の調整機能等の操作部３が設けられ、コード31は除湿器4を作動させるための電源コードである。なお、除湿器４の除湿設定や本体ユニット付き調整機能等の操作部３は、全面パネル外の庫１内あるいは庫１外の除湿ユニットに設けても良い。
【０００９】
木製パネル11の構成は、図２に示すように、本実施例はベニヤ板からなる木質本体13の外側表面には木調の印刷木目シート14が貼付され、内側には木質本体13のベニヤと防湿シート16との接着がよくなるように接合補強材としての不織布15が貼付され、内側表面には湿気を完全に遮断し、抗菌剤を混入した無方向の延伸性の薄い厚さ12μの防湿シート16が貼付されている。
なお、本実施例では木質本体13をベニヤ板としたが、他の木質の木質系ＭＤＦ(木材等の繊維板)や圧縮コルク材や、これらの組み合わせでもよい。また、内部の模様等の印刷は不織布15の表面に施せばよい。
勿論、本実施例の木製防湿保管庫１は気密性を保つために、木質本体13の合わせ目である木口面やダボ孔等は外気が侵入しないように処理しなければならないが、防湿シート16が360°無方向に延伸性(破断伸度120〜190％)であるために、延伸して木口面やダボ孔等の表面を容易に覆うように加工できる。また、底部には別途防湿シートを配置すればよく、特に、無方向に延伸性である防湿シートは曲面のコーテングには最適であって完全な気密性が得られる。
【００１０】
上記の木製開閉扉12は軽く気密性が高くする必要があり、図３に示すように、磁石を埋め込んだ磁性クッションゴム２を木製開閉扉12の内側には縁に沿って四方向に配設し、一方、木質本体13のクッションゴム２が対応する位置に磁石が吸着する金属板あるいは板状磁石21を配置して、木製開閉扉12を閉めた場合に完全に気密状態なるようにしてある。これは、木製開閉扉12が多少反っても気密状態にすると同時に、木製扉が反る等の変形するのを防いでいるが、更に、軽量にするために木製開閉扉12の内部を断面ハニカム構造にして堅牢で軽量にすればよい。
【００１１】
次に、本実施例の除湿手段である除湿器4の構成を図４に沿って説明すると、除湿器4の外観はアウターケース41とインナーケース42からなり側面木製パネル111の底部近傍に取付部43によって垂直に固着されており、木製防湿保管庫1のアウターケース41側には熱放出および湿気放出のための放出開口44が、インナーケース42側には庫1内の湿気を取り入れる取入開口45が設けられている。なお、取入開口45には金網46が設けられているが、これは、後述する冷却面5Aの水滴に庫1内の物品が接触することを防ぐためのものであり、金網以外のスリット板やパンチングパネルでもよい。
除湿器4の主要部は電子冷却半導体５からなるが、この電子冷却半導体５は、ペルチェ効果を利用したもので、湿度センサー61からの信号より制御器６により制御されるが、制御された直流電流を流すことによって冷却される冷却面5Aと加熱される加熱面5Bとから成り立っている。そして、取入開口45に面して電子冷却半導体５の冷却面5Aが配置され、冷却面5Aが冷却されと庫1内の湿気が冷却面5Aに氷結する。一方、冷却面5Aが冷却されると加熱面5Bが加熱されるが、冷却を促進するために加熱面5Bに放熱板51が設けられ、更に放熱ファン52が設けられている。
【００１２】
そして、一定時間経過後に、電子冷却半導体５の電源を制御器６により制御することにより、本実施例では、湿度が50％以上に成った場合には電子冷却半導体５の電源をONにして冷却を開始し、湿度が20％程度になった時は冷却を停止すると冷却面5Aに氷結した水分が水滴となって下に落し、落下した水滴は水受け47に設けられたウレタン53に浸み込み、前記の放熱ファン52はウレタン樹脂53に浸み込んだ水を蒸発させ、蒸発した湿気を庫1外に発散放出する作用も有している。
なお、制御器６の制御方法は、他にも、積極的に直流電流の極性を反転させ、電子冷却半導体５の冷却面5Aを温めて氷結した水分を、急速に水滴として下に落下させてもよい。
また、電子冷却半導体５が作動していな場合はシャッタ64が閉まっていて外気が庫1内に侵入することを阻止しているが、電子冷却半導体５が作動し放熱板51も熱せられると形状記憶バネ65が縮んでシャッタ64を開いて湿気が多い空気を庫1外に放出する。勿論、シャッタ64は湿度センサー61により小型モータあるいはソレノイド等で作動させてもよく、また、場合によっては、この空気通路は水吸収のウレタンで一応は遮断されているので無くてもよい。
本発明および実施例におけるファンの意味するところは、水滴を庫1外に排出しないことであって、他に同等の排気方式があれば適宜これを採用すればよい。
以上のような構成で、前述の大きさの木製防湿保管庫で、湿度65％の雰囲気で湿度制御範囲を20％から50％に設定した場合の消費電力は、僅かに7.5W/hとなり、防湿処理を施さない同じ保管庫に比べて、1/3以下の消費電力の節約が確認された。
【００１３】
次に、防湿処理の別の実施例を図５に沿って説明すると、第２の実施例はベニヤ板からなる木質本体13の外側表面には木質薄板141が貼付され、内側にはベニヤとアルミ箔17の接着が良好なるように厚さ12μの補強接合フィルム151が貼付され、アルミ箔17の表面には、湿気を完全に遮断し抗菌剤を混入した無方向の延伸性の薄い厚さ12μの防湿シート16が貼付されている。
第２の実施例が第１の実施例と異なるのは、防湿シート16と補強接合フィルム151との間に厚さ9μのアルミ箔17を挿入することによって、多少の加熱では燃焼せず、難燃性の保管庫とすることができ、また、ホゾ部18の凸部や凹部も防湿シート16で木質表面を覆って気密度を高めており、この場合にも、方向性がない延伸性の防湿シート16であるために、延伸して木口面やダボ孔等の表面を覆う加工が容易に行える。この防湿シート16は厚さ12μとしたが、加工の容易性等から適宜変更すればよい。
なお、実施例１と同様に本実施例でも木質本体13をベニヤ板としたが、他の木質の木質系ＭＤＦや圧縮コルク材や、これらの組み合わせでもよく、また、内部の模様等の印刷は防湿シート16の裏面に施せばよい。
【００１４】
上記の各実施例は、外側表面を木調の印刷木目シート14としたが、他の任意の印刷模様でもよく、あるいは、通常の木材を使用してもよく、例えば、防湿収納庫としては不向きな「桐」であっても、内側面を各実施例のような防湿加工を施せば防湿保管庫として使用でき、補強接合材も不織布やフルムの他に紙等の有効である。
また、湿度センサーは除湿器のインナーケースに配置したが、保管庫内の適所に配置してもよく、必要箇所の複数配置してこれらの全てを検出したり、平均値を検出するようにしてもよく、また、庫1内の湿度が感知できれば制御部に装備してもよい。
更に、本発明の防湿保管庫は、家庭家具のみならず、貴重品保管ケースやその他湿度を嫌う物品、例えば、化学品、薬品、医学、光学、食品、骨董、書籍、電子部品等の保管庫に最適であり、広い用途が期待できるものである。
【００１５】
なお、本発明の特徴を損うものでなければ、上記の実施例に限定されるものでないことは勿論である。例えば、実施例では保管庫の全てを木製としたが、場合によっては、床部は湿気を通さない合成樹脂製としてもよい。また、開閉扉は両開きとしたが片開きの１つの扉でもよく、上面に設けてもよく、要は物品を出し入れする構成であればよい。
【００１６】
【発明の効果】
以上説明したように、請求項１に記載の発明によれば、木製保管庫の木製パネルの内壁の全てに防湿シートを貼って気密にし、保管庫の一部に開閉扉を設けるともに、該木製パネルの適所には水分を外部に蒸発させて発散させるファンを用いた除湿手段を配設した木製防湿保管庫であるから、木製の保管庫であっても除湿の消費電力が少なく、木製であることから高級家具の外観が得られ、加工が金属製に比べて容易であることから多種少量生産が可能となり、湿気をファンで発散せることから、設置場所の制限が少なくなるという効果が得られる。
また、防湿シートは無方向に延伸する薄膜で抗菌剤を混入した高分子フィルムであるから、保管庫内の防湿加工が容易で、抗菌作用も有することから湿度が低いことと相俟ってカビの発生および雑菌の繁殖も抑えることができるという効果が得られる。更には、防湿シートと補強接合フィルムとの間にアルミ箔を挿入することによって、多少の加熱では燃焼せず、木製であっても難燃性の保管庫とすることができ、また、ホゾ部の凸部や凹部も防湿シートで木質表面を覆って気密度を高めており、この場合にも方向性がない延伸性の防湿シートであるために、延伸して木口面やダボ孔等の表面を覆う加工が容易に行える。
また、除湿手段としてペルチェ効果を利用した電子冷却半導体を用い、電子冷却半導体の加熱面の放熱ファンを用いて、冷却面からの除湿すべき水滴を外部に蒸発させて発散させるものであるから、別途に湿気を外部に発散させるファン等の構成が不必要となり、また、電子冷却半導体が作動していない場合には、シャッターによって外部から庫内に湿気が侵入すことがなく、小型で除湿効率が向上することから、保管庫の内容積が大きくできるという効果が得られる。
【００１８】
請求項２に記載の発明によれば、請求項１の発明の効果に加えて、開閉扉の内側には縁に沿って磁石を埋め込んだクッションゴムを配設し、保管庫の側には磁石が吸着する部材を配設したから、より気密性が確実になり除湿の消費電力がより少なくなるという効果が得られる。
【図面の簡単な説明】
【図１】本発明の好適な木製防湿保管庫の全体の外観斜視図
【図２】図１の木製防湿保管庫の木製パネルの部分断面図
【図３】図１の木製防湿保管庫の開閉扉の開状態の斜視図
【図４】本発明の木製防湿保管庫に用いる除湿器の側断面図
【図５】本発明の木製防湿保管庫の別の実施例の木製パネルの部分断面図である。
【符号の説明】
１…木製防湿保管庫
11…木製パネル
111…側面木製パネル
12…木製開閉扉
13…木質本体
14…印刷木目シート
141…木質薄板
15…不織布(補強接合材)
151…補強接合フィルム
16…防湿シート
17…アルミ箔
18…ホゾ部
２…磁性クッションゴム
21…金属板あるいは板状磁石
３…操作部
31…電源コード
４…除湿器
41…アウターケース
42…インナーケース
43…取付部
44…放出開口
45…取入開口
46…金網
47…水受け
５…電子冷却半導体
5A…冷却面
5B…加熱面
51…放熱板
52…放熱ファン
53…吸水ウレタン樹脂
６…制御器
61…湿度センサー
64…シャッタ
65…形状記憶バネ
【図１】
0004491119.tif 000002
【図２】
0004491119.tif 000003
【図３】
0004491119.tif 000004
【図４】
0004491119.tif 000005
【図５】
0004491119.tif 000006